(57)【要約】  本願はＣＱＩの計算方法、端末装置、及びネットワーク装置を開示し、該方法は、端末装置がＮ個のポートから、チャネル品質指標（ＣＱＩ）を計算するためのＫ個のポートを決定することと、端末装置が前記Ｋ個のポートに基づいて前記ＣＱＩを計算することと、端末装置が前記ＣＱＩとランクをネットワーク装置に報告し、前記ランクがＫに等しいこととを含む。従って、端末装置はＮ個のポートのうちのＫ個のポートに基づいてＣＱＩを計算することにより、より正確なＣＱＩを取得することができ、それにより、通信性能を向上させる。
2021500776.tif 000002
【特許請求の範囲】
【請求項１】
ＣＱＩの計算方法であって、
端末装置がＮ個のポートから、チャネル品質指標（ＣＱＩ）を計算するためのＫ個のポートを決定することと、
前記端末装置が前記Ｋ個のポートに基づいて前記ＣＱＩを計算することと、
前記端末装置が前記ＣＱＩとランクをネットワーク装置に報告し、前記ランクがＫに等しいことと、を含み、
ＫとＮは正の整数であることを特徴とするＣＱＩの計算方法。
【請求項２】
前記端末装置がＮ個のポートから、ＣＱＩを計算するためのＫ個のポートを決定することは、
前記端末装置が前記ランクに基づいて、Ｎ個のポートから予め設定された前記Ｋ個のポートを選択することを含むことを特徴とする請求項１に記載の方法。
【請求項３】
前記Ｋ個のポートのポート番号は０〜Ｋ−１であり、又はＮ−Ｋ〜Ｎ−１であることを特徴とする請求項２に記載の方法。
【請求項４】
Ｋが奇数である場合、前記Ｋ個のポートのポート番号は０〜Ｋ−１であり、Ｋが偶数である場合、前記Ｋ個のポートのポート番号はＮ−Ｋ〜Ｎ−１であり、又は、
Ｋが偶数である場合、前記Ｋ個のポートのポート番号は０〜Ｋ−１であり、Ｋが奇数である場合、前記Ｋ個のポートのポート番号はＮ−Ｋ〜Ｎ−１であることを特徴とする請求項３に記載の方法。
【請求項５】
前記端末装置が選択された前記Ｋ個のポートの情報を前記ネットワーク装置に送信することを更に含むことを特徴とする請求項２〜４のいずれか１項に記載の方法。
【請求項６】
前記端末装置がＮ個のポートから、ＣＱＩを計算するためのＫ個のポートを決定する前に、前記方法は、
前記端末装置がネットワーク装置から送信された、前記Ｋ個のポートの情報を示すための第１設定情報を受信することを更に含み、
前記端末装置がＮ個のポートから、ＣＱＩを計算するためのＫ個のポートを決定することは、
前記端末装置が前記第１設定情報に基づいて、前記Ｎ個のポートから前記Ｋ個のポートを決定することを含むことを特徴とする請求項１に記載の方法。
【請求項７】
前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記端末装置が前記第１設定情報に基づいて、前記Ｎ個のポートから前記Ｋ個のポートを決定することは、
前記端末装置は前記ターゲットポート設定及び前記ランクに基づいて、前記ランクに対応する第１ポートセットを決定し、前記第１ポートセットが前記Ｋ個のポートを含むことを含むことを特徴とする請求項６に記載の方法。
【請求項８】
前記第１設定情報は前記ＣＱＩを計算するためのターゲットポート設定の識別情報を含み、前記識別情報は前記ターゲットポート設定を識別することに用いられ、
前記端末装置が前記第１設定情報に基づいて、前記Ｎ個のポートから前記Ｋ個のポートを決定することは、
前記端末装置が前記識別情報に基づいて、複数のポート設定から、前記識別情報によって示される前記ターゲットポート設定を決定し、前記複数のポート設定における各ポート設定が複数のランクと複数のポートセットとの間の対応関係を含み、前記各ポート設定において、異なるランクに対応するポートセットは異なる数のポートを含むことと、
前記端末装置が前記ターゲットポート設定及び前記ランクに基づいて、前記ランクに対応する第１ポートセットを決定し、前記第１ポートセットが前記Ｋ個のポートを含むことと、を含むことを特徴とする請求項６に記載の方法。
【請求項９】
前記端末装置がネットワーク装置から送信された第１設定情報を受信する前に、前記方法は、
前記端末装置が前記ネットワーク装置から送信された、前記複数のポート設定を含む第２設定情報を受信することを更に含むことを特徴とする請求項８に記載の方法。
【請求項１０】
前記端末装置がネットワーク装置から送信された第２設定情報を受信することは、
前記端末装置が、前記ネットワーク装置が無線リソース制御（ＲＲＣ）シグナリング、媒体アクセス制御要素（ＭＡＣ  ＣＥ）を介して送信した前記第２設定情報を受信することを含むことを特徴とする請求項９に記載の方法。
【請求項１１】
前記端末装置がネットワーク装置から送信された第１設定情報を受信することは、
前記端末装置が、前記ネットワーク装置がＲＲＣシグナリング、ＭＡＣ  ＣＥ又はダウンリンク制御情報（ＤＣＩ）を介して送信した前記第１設定情報を受信することを含むことを特徴とする請求項６〜１０のいずれか１項に記載の方法。
【請求項１２】
第１ポートセットにおける前記Ｋ個のポートのポート番号は連続することを特徴とする請求項６〜１１のいずれか１項に記載の方法。
【請求項１３】
第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数であることを特徴とする請求項１２に記載の方法。
【請求項１４】
前記Ｋ個のポートのポート番号は０〜Ｋ−１であり、又はＮ−Ｋ〜Ｎ−１であることを特徴とする請求項６〜１１のいずれか１項に記載の方法。
【請求項１５】
前記端末装置が前記ネットワーク装置から送信された更新設定情報を受信し、前記更新設定情報は前記ターゲットポート設定における前記ランクに対応する第２ポートセットを含むことと、
前記端末装置が前記ターゲットポート設定における前記ランクに対応する前記第１ポートセットを、前記第２ポートセットに更新することと、を更に含むことを特徴とする請求項１〜１４のいずれか１項に記載の方法。
【請求項１６】
前記端末装置が前記ネットワーク装置から送信された更新設定情報を受信することは、
前記端末装置が、前記ネットワーク装置がＲＲＣシグナリング、ＭＡＣ  ＣＥ又はＤＣＩを介して送信した前記更新設定情報を受信することを含むことを特徴とする請求項１〜１５のいずれか１項に記載の方法。
【請求項１７】
前記端末装置は前記ＣＱＩを計算するときに、前記Ｋ個のポートと同じチャネル状態表示基準信号（ＣＳＩ−ＲＳ）リソースに属する他のポートを干渉とし、又は、
前記Ｋ個のポートと同じＣＳＩ−ＲＳリソースに属する他のポートを干渉としないことを特徴とする請求項１〜１６のいずれか１項に記載の方法。
【請求項１８】
ネットワーク装置は第１設定情報を端末装置に送信し、前記第１設定情報は前記端末装置がチャネル品質指標（ＣＱＩ）を計算するためのＫ個のポートを示し、それにより前記端末装置は前記第１設定情報に基づいてＮ個のポートから前記Ｋ個のポートを決定して、前記Ｋ個のポートに基づいて前記ＣＱＩを計算し、且つ前記ＣＱＩとランクを報告し、前記ランクがＫに等しく、ＫとＮが正の整数であることと、
前記ネットワーク装置は前記端末装置が前記第１設定情報に基づいて送信した前記ＣＱＩを受信することと、を含むことを特徴とするＣＱＩの計算方法。
【請求項１９】
前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記ターゲットポート設定は、前記端末装置が前記ランクに対応する第１ポートセットを決定することに用いられ、前記第１ポートセットは前記Ｋ個のポートを含むことを特徴とする請求項１８に記載の方法。
【請求項２０】
前記第１設定情報は前記ＣＱＩを計算するためのターゲットポート設定の識別情報を含み、前記識別情報は前記ターゲットポート設定を識別することに用いられ、
前記識別情報は前記端末装置が複数のポート設定から前記識別情報によって示される前記ターゲットポート設定を決定することに用いられ、前記複数のポート設定における各ポート設定は複数のランクと複数のポートセットとの間の対応関係を含み、前記各ポート設定において、異なるランクに対応するポートセットは異なる数のポートを含み、
前記ターゲットポート設定は、前記端末装置が前記ランクに対応する第１ポートセットを決定することに用いられ、前記第１ポートセットは前記Ｋ個のポートを含むことを特徴とする請求項１８に記載の方法。
【請求項２１】
前記ネットワーク装置が第１設定情報を端末装置に送信する前に、前記方法は、
前記ネットワーク装置が前記複数のポート設定を含む第２設定情報を前記端末装置に送信することを更に含むことを特徴とする請求項２０に記載の方法。
【請求項２２】
前記ネットワーク装置が第２設定情報を前記端末装置に送信することは、
前記ネットワーク装置が無線リソース制御（ＲＲＣ）シグナリング、媒体アクセス制御要素（ＭＡＣ  ＣＥ）を介して前記第２設定情報を前記端末装置に送信することを含むことを特徴とする請求項２１に記載の方法。
【請求項２３】
前記ネットワーク装置が第１設定情報を前記端末装置に送信することは、
前記ネットワーク装置がＲＲＣシグナリング、ＭＡＣ  ＣＥ又はダウンリンク制御情報（ＤＣＩ）を介して、前記第１設定情報を前記端末装置に送信することを含むことを特徴とする請求項１８〜２２のいずれか１項に記載の方法。
【請求項２４】
第１ポートセットにおける前記Ｋ個のポートのポート番号は連続することを特徴とする請求項１８〜２３のいずれか１項に記載の方法。
【請求項２５】
第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数であることを特徴とする請求項２４に記載の方法。
【請求項２６】
前記Ｋ個のポートのポート番号は０〜Ｋ−１であり、又はＮ−Ｋ〜Ｎ−１であることを特徴とする請求項１８〜２３のいずれか１項に記載の方法。
【請求項２７】
前記ネットワーク装置が更新設定情報を前記端末装置に送信し、前記更新設定情報は前記ターゲットポート設定における前記ランクに対応する第２ポートセットを含み、前記第２ポートセットは前記端末装置が前記ターゲットポート設定における前記ランクに対応する前記第１ポートセットを更新することに用いられることを更に含むことを特徴とする請求項１８〜２６のいずれか１項に記載の方法。
【請求項２８】
前記ネットワーク装置が更新設定情報を前記端末装置に送信することは、
前記ネットワーク装置がＲＲＣシグナリング、ＭＡＣ  ＣＥ又はＤＣＩを介して、前記更新設定情報を前記端末装置に送信することを含むことを特徴とする請求項１８〜２７のいずれか１項に記載の方法。
【請求項２９】
Ｎ個のポートから、チャネル品質指標（ＣＱＩ）を計算するためのＫ個のポートを決定することに用いられる処理ユニットと、
前記ＣＱＩとランクをネットワーク装置に報告することに用いられ、前記ランクがＫに等しい送信ユニットと、を備え、
前記処理ユニットは更に、前記Ｋ個のポートに基づいて前記ＣＱＩを計算することに用いられ、
ＫとＮは正の整数であることを特徴とする端末装置。
【請求項３０】
前記処理ユニットは更に、
前記ランクに基づいて、Ｎ個のポートから予め設定された前記Ｋ個のポートを選択することに用いられることを特徴とする請求項２９に記載の端末装置。
【請求項３１】
前記Ｋ個のポートのポート番号は０〜Ｋ−１であり、又はＮ−Ｋ〜Ｎ−１であることを特徴とする請求項３０に記載の端末装置。
【請求項３２】
Ｋが奇数である場合、前記Ｋ個のポートのポート番号は０〜Ｋ−１であり、Ｋが偶数である場合、前記Ｋ個のポートのポート番号はＮ−Ｋ〜Ｎ−１であり、又は、
Ｋが偶数である場合、前記Ｋ個のポートのポート番号は０〜Ｋ−１であり、Ｋが奇数である場合、前記Ｋ個のポートのポート番号はＮ−Ｋ〜Ｎ−１であることを特徴とする請求項３１に記載の端末装置。
【請求項３３】
前記送信ユニットは更に、
選択された前記Ｋ個のポートの情報を前記ネットワーク装置に送信することに用いられることを特徴とする請求項３０〜３２のいずれか１項に記載の端末装置。
【請求項３４】
前記端末装置は受信ユニットを更に備え、前記受信ユニットは、
ネットワーク装置から送信された、前記Ｋ個のポートの情報を示すための第１設定情報を受信することに用いられ、
前記処理ユニットは具体的に、
前記第１設定情報に基づいて、前記Ｎ個のポートから前記Ｋ個のポートを決定することに用いられることを特徴とする請求項２９に記載の端末装置。
【請求項３５】
前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記処理ユニットは具体的に、
前記ターゲットポート設定及び前記ランクに基づいて、前記ランクに対応する第１ポートセットを決定することに用いられ、前記第１ポートセットは前記Ｋ個のポートを含むことを特徴とする請求項３４に記載の端末装置。
【請求項３６】
前記第１設定情報は前記ＣＱＩを計算するためのターゲットポート設定の識別情報を含み、前記識別情報は前記ターゲットポート設定を識別することに用いられ、
前記処理ユニットは具体的に、
前記識別情報に基づいて、複数のポート設定から、前記識別情報によって示される前記ターゲットポート設定を決定し、前記複数のポート設定における各ポート設定が複数のランクと複数のポートセットとの間の対応関係を含み、前記各ポート設定において、異なるランクに対応するポートセットは異なる数のポートを含むことと、
前記ターゲットポート設定及び前記ランクに基づいて、前記ランクに対応する第１ポートセットを決定し、前記第１ポートセットが前記Ｋ個のポートを含むことと、に用いられることを特徴とする請求項３４に記載の端末装置。
【請求項３７】
前記受信ユニットは更に、
前記ネットワーク装置から送信された、前記複数のポート設定を含む第２設定情報を受信することに用いられることを特徴とする請求項３６に記載の端末装置。
【請求項３８】
前記受信ユニットは具体的に、
前記ネットワーク装置が無線リソース制御（ＲＲＣ）シグナリング、媒体アクセス制御要素（ＭＡＣ  ＣＥ）を介して送信した前記第２設定情報を受信することに用いられることを特徴とする請求項３７に記載の端末装置。
【請求項３９】
前記受信ユニットは具体的に、
前記ネットワーク装置がＲＲＣシグナリング、ＭＡＣ  ＣＥ又はダウンリンク制御情報（ＤＣＩ）を介して送信した前記第１設定情報を受信することに用いられることを特徴とする請求項３４〜３８のいずれか１項に記載の端末装置。
【請求項４０】
第１ポートセットにおける前記Ｋ個のポートのポート番号は連続することを特徴とする請求項３４〜３９のいずれか１項に記載の端末装置。
【請求項４１】
第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数であることを特徴とする請求項４０に記載の端末装置。
【請求項４２】
前記Ｋ個のポートのポート番号は０〜Ｋ−１であり、又はＮ−Ｋ〜Ｎ−１であることを特徴とする請求項３４〜３９のいずれか１項に記載の端末装置。
【請求項４３】
受信ユニットは更に、
前記ネットワーク装置から送信された、前記ターゲットポート設定における前記ランクに対応する第２ポートセットを含む更新設定情報を受信することに用いられ、
前記処理ユニットは更に、
前記ターゲットポート設定における前記ランクに対応する前記第１ポートセットを、前記第２ポートセットに更新することに用いられることを特徴とする請求項２９〜４２のいずれか１項に記載の端末装置。
【請求項４４】
前記受信ユニットは具体的に、
前記ネットワーク装置がＲＲＣシグナリング、ＭＡＣ  ＣＥ又はＤＣＩを介して送信した前記更新設定情報を受信することに用いられることを特徴とする請求項４３に記載の端末装置。
【請求項４５】
前記処理ユニットは前記ＣＱＩを計算するときに、前記Ｋ個のポートと同じチャネル状態表示基準信号（ＣＳＩ−ＲＳ）リソースに属する他のポートを干渉とし、又は、
前記Ｋ個のポートと同じＣＳＩ−ＲＳリソースに属する他のポートを干渉としないことを特徴とする請求項２９〜４４のいずれか１項に記載の端末装置。
【請求項４６】
第１設定情報を端末装置に送信することに用いられ、前記第１設定情報は前記端末装置がチャネル品質指標（ＣＱＩ）を計算するためのＫ個のポートを示し、それにより前記端末装置は前記第１設定情報に基づいてＮ個のポートから前記Ｋ個のポートを決定して、前記Ｋ個のポートに基づいて前記ＣＱＩを計算し、且つ前記ＣＱＩとランクを報告し、前記ランクがＫに等しく、ＫとＮが正の整数である送信ユニットと、
前記端末装置が前記第１設定情報に基づいて送信した前記ＣＱＩを受信することに用いられる受信ユニットと、を備えることを特徴とするネットワーク装置。
【請求項４７】
前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記ターゲットポート設定は、前記端末装置が前記ランクに対応する第１ポートセットを決定することに用いられ、前記第１ポートセットは前記Ｋ個のポートを含むことを特徴とする請求項４６に記載のネットワーク装置。
【請求項４８】
前記第１設定情報は前記ＣＱＩを計算するためのターゲットポート設定の識別情報を含み、前記識別情報は前記ターゲットポート設定を識別することに用いられ、
前記識別情報は前記端末装置が複数のポート設定から前記識別情報によって示される前記ターゲットポート設定を決定することに用いられ、前記複数のポート設定における各ポート設定は複数のランクと複数のポートセットとの間の対応関係を含み、前記各ポート設定において、異なるランクに対応するポートセットは異なる数のポートを含み、
前記ターゲットポート設定は、前記端末装置が前記ランクに対応する第１ポートセットを決定することに用いられ、前記第１ポートセットは前記Ｋ個のポートを含むことを特徴とする請求項４６に記載のネットワーク装置。
【請求項４９】
前記送信ユニットは更に、
前記複数のポート設定を含む第２設定情報を前記端末装置に送信することに用いられることを特徴とする請求項４８に記載のネットワーク装置。
【請求項５０】
前記送信ユニットは具体的に、
無線リソース制御（ＲＲＣ）シグナリング、媒体アクセス制御要素（ＭＡＣ  ＣＥ）を介して前記第２設定情報を前記端末装置に送信することに用いられることを特徴とする請求項４９に記載のネットワーク装置。
【請求項５１】
前記送信ユニットは具体的に、
ＲＲＣシグナリング、ＭＡＣ  ＣＥ又はダウンリンク制御情報（ＤＣＩ）を介して、前記第１設定情報を前記端末装置に送信することに用いられることを特徴とする請求項４６〜５０のいずれか１項に記載のネットワーク装置。
【請求項５２】
第１ポートセットにおける前記Ｋ個のポートのポート番号は連続することを特徴とする請求項４６〜５１のいずれか１項に記載のネットワーク装置。
【請求項５３】
第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数であることを特徴とする請求項５２に記載のネットワーク装置。
【請求項５４】
前記Ｋ個のポートのポート番号は０〜Ｋ−１であり、又はＮ−Ｋ〜Ｎ−１であることを特徴とする請求項４６〜５１のいずれか１項に記載のネットワーク装置。
【請求項５５】
前記送信ユニットは更に、
前記ターゲットポート設定における前記ランクに対応する第２ポートセットを含む更新設定情報を前記端末装置に送信することに用いられ、前記第２ポートセットは前記端末装置が、前記ターゲットポート設定における前記ランクに対応する前記第１ポートセットを更新することに用いられることを特徴とする請求項４６〜５４のいずれか１項に記載のネットワーク装置。
【請求項５６】
前記送信ユニットは具体的に、
ＲＲＣシグナリング、ＭＡＣ  ＣＥ又はＤＣＩを介して、前記更新設定情報を前記端末装置に送信することに用いられることを特徴とする請求項４６〜５５のいずれか１項に記載のネットワーク装置。
【発明の詳細な説明】
【技術分野】
【０００１】
本願の実施例は無線通信分野に関し、より具体的に、ＣＱＩの計算方法、端末装置、及びネットワーク装置に関する。
【背景技術】
【０００２】
アップリンク制御情報では、チャネル品質指標（Ｃｈａｎｎｅｌ  Ｑｕａｌｉｔｙ  Ｉｎｄｉｃａｔｏｒ、ＣＱＩ）はチャネル品質を反映することに用いられる。将来の通信システムでは、マルチユーザ多入力多出力（Ｍｕｌｔｉ−Ｕｓｅｒ  Ｍｕｌｔｉｐｌｅ−Ｉｎｐｕｔ  Ｍｕｌｔｉｐｌｅ−Ｏｕｔｐｕｔ、ＭＵ−ＭＩＭＯ）の使用確率はロング・ターム・エボリューション（Ｌｏｎｇ  Ｔｅｒｍ  Ｅｖｏｌｕｔｉｏｎ、ＬＴＥ）通信システムに比べて大幅に増加し、従って、ネットワークはＭＵ−ＭＩＭＯ伝送を最適化するためにより正確なＣＱＩを取得する必要があり、それによりシステムの通信性能を向上させる。
【発明の概要】
【発明が解決しようとする課題】
【０００３】
本願の実施例は、効果的なＣＱＩ計算を実現して通信性能を向上させることができるＣＱＩの計算方法、端末装置、及びネットワーク装置を提供する。
【課題を解決するための手段】
【０００４】
第１態様ではＣＱＩの計算方法を提供し、
端末装置がＮ個のポートから、チャネル品質指標（ＣＱＩ）を計算するためのＫ個のポートを決定することと、
前記端末装置が前記Ｋ個のポートに基づいて前記ＣＱＩを計算することと、
前記端末装置が前記ＣＱＩとランクを前記ネットワーク装置に報告し、前記ランクがＫに等しいことと、を含み、
ＫとＮは正の整数である。
【０００５】
従って、端末装置はＮ個のポートのうちのＫ個のポートに基づいてＣＱＩを計算することにより、より正確なＣＱＩを取得することができ、それにより通信性能を向上させる。
【０００６】
可能な実施態様では、前記端末装置がＮ個のポートから、ＣＱＩを計算するためのＫ個のポートを決定することは、
前記端末装置が前記ランクに基づいて、Ｎ個のポートから予め設定された前記Ｋ個のポートを選択することを含む。
【０００７】
可能な実施態様では、前記Ｋ個のポートのポート番号は０〜Ｋ−１であり、又はＮ−Ｋ〜Ｎ−１である。
【０００８】
可能な実施態様では、Ｋが奇数である場合、前記Ｋ個のポートのポート番号は０〜Ｋ−１であり、Ｋが偶数である場合、前記Ｋ個のポートのポート番号はＮ−Ｋ〜Ｎ−１であり、又は、Ｋが偶数である場合、前記Ｋ個のポートのポート番号は０〜Ｋ−１であり、Ｋが奇数である場合、前記Ｋ個のポートのポート番号はＮ−Ｋ〜Ｎ−１である。
【０００９】
可能な実施態様では、前記方法は、前記端末装置が選択された前記Ｋ個のポートの情報を前記ネットワーク装置に送信することを更に含む。
【００１０】
可能な実施態様では、前記端末装置がＮ個のポートから、ＣＱＩを計算するためのＫ個のポートを決定する前に、前記方法は、
前記端末装置がネットワーク装置から送信された、前記Ｋ個のポートの情報を示すための第１設定情報を受信することを更に含み、
前記端末装置がＮ個のポートから、ＣＱＩを計算するためのＫ個のポートを決定することは、
前記端末装置が前記第１設定情報に基づいて、前記Ｎ個のポートから前記Ｋ個のポートを決定することを含む。
【００１１】
可能な実施態様では、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記端末装置が前記第１設定情報に基づいて、前記Ｎ個のポートから前記Ｋ個のポートを決定することは、
前記端末装置は前記ターゲットポート設定及び前記ランクに基づいて、前記ランクに対応する第１ポートセットを決定し、前記第１ポートセットが前記Ｋ個のポートを含むことを含む。
【００１２】
可能な実施態様では、前記第１設定情報は前記ＣＱＩを計算するためのターゲットポート設定の識別情報を含み、前記識別情報は前記ターゲットポート設定を識別することに用いられ、
前記端末装置が前記第１設定情報に基づいて、前記Ｎ個のポートから前記Ｋ個のポートを決定することは、
前記端末装置が前記識別情報に基づいて、複数のポート設定から、前記識別情報によって示される前記ターゲットポート設定を決定し、前記複数のポート設定における各ポート設定が複数のランクと複数のポートセットとの間の対応関係を含み、前記各ポート設定において、異なるランクに対応するポートセットは異なる数のポートを含むことと、
前記端末装置が前記ターゲットポート設定及び前記ランクに基づいて、前記ランクに対応する第１ポートセットを決定し、前記第１ポートセットが前記Ｋ個のポートを含むことと、を含む。
【００１３】
可能な実施態様では、前記端末装置がネットワーク装置から送信された第１設定情報を受信する前に、前記方法は、
前記端末装置が前記ネットワーク装置から送信された、前記複数のポート設定を含む第２設定情報を受信することを更に含む。
【００１４】
可能な実施態様では、前記端末装置がネットワーク装置から送信された第２設定情報を受信することは、
前記端末装置が、前記ネットワーク装置が無線リソース制御（ＲＲＣ）シグナリング、媒体アクセス制御要素（ＭＡＣ  ＣＥ）を介して送信した前記第２設定情報を受信することを含む。
【００１５】
可能な実施態様では、前記端末装置がネットワーク装置から送信された第１設定情報を受信することは、
前記端末装置が、前記ネットワーク装置がＲＲＣシグナリング、ＭＡＣ  ＣＥ又はダウンリンク制御情報（ＤＣＩ）を介して送信した前記第１設定情報を受信することを含む。
【００１６】
可能な実施態様では、第１ポートセットにおける前記Ｋ個のポートのポート番号は連続する。
【００１７】
可能な実施態様では、第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数である。
【００１８】
可能な実施態様では、前記Ｋ個のポートのポート番号は０〜Ｋ−１であり、又はＮ−Ｋ〜Ｎ−１である。
【００１９】
可能な実施態様では、前記方法は、
前記端末装置が前記ネットワーク装置から送信された更新設定情報を受信し、前記更新設定情報は前記ターゲットポート設定における前記ランクに対応する第２ポートセットを含むことと、
前記端末装置が前記ターゲットポート設定における前記ランクに対応する前記第１ポートセットを、前記第２ポートセットに更新することと、を更に含む。
【００２０】
可能な実施態様では、前記端末装置が前記ネットワーク装置から送信された更新設定情報を受信することは、
前記端末装置が、前記ネットワーク装置がＲＲＣシグナリング、ＭＡＣ  ＣＥ又はＤＣＩを介して送信した前記更新設定情報を受信することを含む。
【００２１】
可能な実施態様では、前記端末装置は前記ＣＱＩを計算するときに、前記Ｋ個のポートと同じチャネル状態表示基準信号（ＣＳＩ−ＲＳ）リソースに属する他のポートを干渉とし、又は、前記Ｋ個のポートと同じＣＳＩ−ＲＳリソースに属する他のポートを干渉としない。
【００２２】
第２態様ではＣＱＩの計算方法を提供し、
ネットワーク装置は第１設定情報を端末装置に送信し、前記第１設定情報は前記端末装置がチャネル品質指標（ＣＱＩ）を計算するためのＫ個のポートを示し、それにより前記端末装置は前記第１設定情報に基づいてＮ個のポートから前記Ｋ個のポートを決定して、前記Ｋ個のポートに基づいて前記ＣＱＩを計算し、且つ前記ＣＱＩとランクを報告し、前記ランクがＫに等しく、ＫとＮが正の整数であることと、
前記ネットワーク装置は前記端末装置が前記第１設定情報に基づいて送信した前記ＣＱＩを受信することと、を含む。
【００２３】
従って、ネットワーク装置はＣＱＩを計算するためのＫ個のポートを端末装置に示すことにより、端末装置はこれらのＫ個のポートに基づいてＣＱＩを計算することができ、それにより、より正確なＣＱＩを取得して、通信性能を向上させることができる。
【００２４】
可能な実施態様では、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記ターゲットポート設定は、前記端末装置が前記ランクに対応する第１ポートセットを決定することに用いられ、前記第１ポートセットは前記Ｋ個のポートを含む。
【００２５】
可能な実施態様では、前記第１設定情報は前記ＣＱＩを計算するためのターゲットポート設定の識別情報を含み、前記識別情報は前記ターゲットポート設定を識別することに用いられ、
前記識別情報は前記端末装置が複数のポート設定から前記識別情報によって示される前記ターゲットポート設定を決定することに用いられ、前記複数のポート設定における各ポート設定は複数のランクと複数のポートセットとの間の対応関係を含み、前記各ポート設定において、異なるランクに対応するポートセットは異なる数のポートを含み、
前記ターゲットポート設定は、前記端末装置が前記ランクに対応する第１ポートセットを決定することに用いられ、前記第１ポートセットは前記Ｋ個のポートを含む。
【００２６】
可能な実施態様では、前記ネットワーク装置が第１設定情報を端末装置に送信する前に、前記方法は、
前記ネットワーク装置が前記複数のポート設定を含む第２設定情報を前記端末装置に送信することを更に含む。
【００２７】
可能な実施態様では、前記ネットワーク装置が第２設定情報を前記端末装置に送信することは、
前記ネットワーク装置が無線リソース制御（ＲＲＣ）シグナリング、媒体アクセス制御要素（ＭＡＣ  ＣＥ）を介して前記第２設定情報を前記端末装置に送信することを含む。
【００２８】
可能な実施態様では、前記ネットワーク装置が第１設定情報を前記端末装置に送信することは、
前記ネットワーク装置がＲＲＣシグナリング、ＭＡＣ  ＣＥ又はダウンリンク制御情報（ＤＣＩ）を介して、前記第１設定情報を前記端末装置に送信することを含む。
【００２９】
可能な実施態様では、第１ポートセットにおける前記Ｋ個のポートのポート番号は連続する。
【００３０】
可能な実施態様では、第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数である。
【００３１】
可能な実施態様では、前記Ｋ個のポートのポート番号は０〜Ｋ−１であり、又はＮ−Ｋ〜Ｎ−１である。
【００３２】
可能な実施態様では、前記方法は、
前記ネットワーク装置が更新設定情報を前記端末装置に送信し、前記更新設定情報は前記ターゲットポート設定における前記ランクに対応する第２ポートセットを含み、前記第２ポートセットは前記端末装置が前記ターゲットポート設定における前記ランクに対応する前記第１ポートセットを更新することに用いられることを更に含む。
【００３３】
可能な実施態様では、前記ネットワーク装置が更新設定情報を前記端末装置に送信することは、
前記ネットワーク装置がＲＲＣシグナリング、ＭＡＣ  ＣＥ又はＤＣＩを介して、前記更新設定情報を前記端末装置に送信することを含む。
【００３４】
第３態様では、上記第１態様又は第１態様の任意の選択可能な実施態様における端末装置の操作を実行することができる端末装置を提供する。具体的に、該端末装置は、上記第１態様又は第１態様の任意の可能な実施態様における端末装置の操作を実行するためのモジュールユニットを備えてもよい。
【００３５】
第４態様では、上記第２態様又は第２態様の任意の選択可能な実施態様におけるネットワーク装置の操作を実行することができるネットワーク装置を提供する。具体的に、該ネットワーク装置は、上記第２態様又は第２態様の任意の可能な実施態様におけるネットワーク装置の操作を実行するためのモジュールユニットを備えてもよい。
【００３６】
第５態様では、プロセッサ、送受信機、及びメモリを備える端末装置を提供する。該プロセッサ、送受信機及びメモリの間には内部接続パスを介して互いに通信する。該メモリは命令を記憶するためのものであり、該プロセッサは該メモリに記憶される命令を実行するためのものである。該プロセッサが該メモリに記憶される命令を実行するときに、該実行により該端末装置は第１態様又は第１態様の任意の可能な実施態様における方法を実行し、又は該実行により該端末装置は第３態様に係る端末装置を実現する。
【００３７】
第６態様では、プロセッサ、送受信機、及びメモリを備えるネットワーク装置を提供する。該プロセッサ、送受信機及びメモリの間には内部接続パスを介して互いに通信する。該メモリは命令を記憶するためのものであり、該プロセッサは該メモリに記憶される命令を実行するためのものである。該プロセッサが該メモリに記憶される命令を実行するときに、該実行により該ネットワーク装置は第２態様又は第２態様の任意の可能な実施態様における方法を実行し、又は該実行により該ネットワーク装置は第４態様に係るネットワーク装置を実現する。
【００３８】
第７態様では、コンピュータ読み取り可能な記憶媒体を提供し、前記コンピュータ読み取り可能な記憶媒体には、端末装置に上記第１態様及びその様々な実施態様におけるいずれか１つのＣＱＩの計算方法を実行させるプログラムが記憶される。
【００３９】
第８態様では、コンピュータ読み取り可能な記憶媒体を提供し、前記コンピュータ読み取り可能な記憶媒体には、ネットワーク装置に上記第２態様及びその様々な実施態様におけるいずれか１つのＣＱＩの計算方法を実行させるプログラムが記憶される。
【００４０】
第９態様では、入力インタフェース、出力インタフェース、プロセッサ、及びメモリを備えるシステムチップを提供し、該プロセッサは該メモリに記憶される命令を実行するためのものであり、該命令が実行されるときに、該プロセッサは上記第１態様又は第１態様の任意の可能な実施態様における方法を実現することができる。
【００４１】
第１０態様では、入力インタフェース、出力インタフェース、プロセッサ、及びメモリを備えるシステムチップを提供し、該プロセッサは該メモリに記憶される命令を実行するためのものであり、該命令が実行されるときに、該プロセッサは上記第２態様又は第２態様の任意の可能な実施態様における方法を実現することができる。
【００４２】
第１１態様では、命令を含むコンピュータプログラム製品を提供し、前記コンピュータプログラム製品がコンピュータに実行されるときに、該コンピュータは上記第１態様又は第１態様の任意の可能な実施態様における方法を実行する。
【００４３】
第１２態様では、命令を含むコンピュータプログラム製品を提供し、前記コンピュータプログラム製品がコンピュータに実行されるときに、該コンピュータは上記第２態様又は第２態様の任意の可能な実施態様における方法を実行する。
【図面の簡単な説明】
【００４４】
【図１】図１は本願の実施例に係る適用シーンの模式的なアーキテクチャ図である。
【図２】図２は本願の実施例に係るＣＱＩの計算方法の模式的なフローチャートである。
【図３】図３は本願の実施例に係るＣＱＩの計算方法の模式的なフローチャートである。
【図４】図４は本願の実施例に係る端末装置の模式的なブロック図である。
【図５】図５は本願の実施例に係るネットワーク装置の模式的なブロック図である。
【図６】図６は本願の実施例に係る通信装置の構造模式図である。
【図７】図７は本願の実施例に係るシステムチップの構造模式図である。
【発明を実施するための形態】
【００４５】
以下、図面を参照しながら、本願の実施例における技術案を説明する。
【００４６】
なお、本願の実施例に係る技術案は、例えば、グローバルモバイル通信（Ｇｌｏｂａｌ  Ｓｙｓｔｅｍ  ｏｆ  Ｍｏｂｉｌｅ  Ｃｏｍｍｕｎｉｃａｔｉｏｎ、ＧＳＭ）システム、符号分割多元接続（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多元接続（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、ロング・ターム・エボリューション（Ｌｏｎｇ  Ｔｅｒｍ  Ｅｖｏｌｕｔｉｏｎ、ＬＴＥ）システム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動体通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、及び将来の５Ｇ通信システム等の様々な通信システムに適用できる。
【００４７】
本願では、端末装置を組み合わせて各実施例を説明した。端末装置とはユーザー装置（Ｕｓｅｒ  Ｅｑｕｉｐｍｅｎｔ、ＵＥ）、アクセス端末、加入者ユニット、加入者局、移動局、移動サイト、遠隔局、遠隔端末、モバイル装置、ユーザー端末、端末、無線通信装置、ユーザエージェント又はユーザーデバイスを指してもよい。アクセス端末はセルラ電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）局、携帯情報端末（Ｐｅｒｓｏｎａｌ  Ｄｉｇｉｔａｌ  Ａｓｓｉｓｔａｎｔ、ＰＤＡ）、無線通信機能を有するハンドヘルドデバイス、コンピューティングデバイス又は無線モデムに接続される他の処理デバイス、車載デバイス、ウェアラブルデバイス、将来の５Ｇネットワークにおける端末装置又は将来の進化した地上波公共移動通信ネットワーク（Ｐｕｂｌｉｃ  Ｌａｎｄ  Ｍｏｂｉｌｅ  Ｎｅｔｗｏｒｋ、ＰＬＭＮ）における端末装置等であってもよい。
【００４８】
本願では、ネットワーク装置を組み合わせて各実施例を説明する。ネットワーク装置は端末装置と通信するための装置であってもよく、例えば、ＧＳＭシステム又はＣＤＭＡにおける基地局（Ｂａｓｅ  Ｔｒａｎｓｃｅｉｖｅｒ  Ｓｔａｔｉｏｎ、ＢＴＳ）であってもよく、ＷＣＤＭＡシステムにおける基地局（ＮｏｄｅＢ、ＮＢ）であってもよく、ＬＴＥシステムにおける進化型基地局（Ｅｖｏｌｕｔｉｏｎａｌ  Ｎｏｄｅ  Ｂ、ｅＮＢ又はｅＮｏｄｅＢ）であってもよく、又は、該ネットワーク装置は中継局、アクセスポイント、車載デバイス、ウェアラブルデバイス及び将来の５Ｇネットワークにおけるネットワーク側装置又は将来の進化したＰＬＭＮネットワークにおけるネットワーク側装置等であってもよい。
【００４９】
図１は本願の実施例に係る適用シーンの模式図である。図１における通信システムはネットワーク装置１０と端末装置２０を備えてもよい。ネットワーク装置１０は端末装置２０に通信サービスを提供して、コアネットワークにアクセスすることに用いられ、端末装置２０はネットワーク装置１０から送信された同期信号、ブロードキャスト信号等を検索することによってネットワークにアクセスして、ネットワークと通信することができる。図１に示される矢印は、端末装置２０とネットワーク装置１０との間のセルラーリンクを介するアップリンク／ダウンリンク伝送を示すことができる。
【００５０】
本願の実施例におけるネットワークとは、地上波公共移動通信ネットワーク（Ｐｕｂｌｉｃ  Ｌａｎｄ  Ｍｏｂｉｌｅ  Ｎｅｔｗｏｒｋ、ＰＬＭＮ）又はデバイスツーデバイス（Ｄｅｖｉｃｅ  ｔｏ  Ｄｅｖｉｃｅ、Ｄ２Ｄ）ネットワーク又はマシンツーマシン／マン（Ｍａｃｈｉｎｅ  ｔｏ  Ｍａｃｈｉｎｅ／Ｍａｎ、Ｍ２Ｍ）ネットワーク又は他のネットワークを指してもよく、図１は簡略化された模式図の例示に過ぎず、ネットワークには図１に示されない他の端末装置が含まれてもよい。
【００５１】
将来の通信システムにおいて、チャネル可逆性（ｃｈａｎｎｅｌ  ｒｅｃｉｐｒｏｃｉｔｙ）が確立された場合、ダウンリンク（Ｄｏｗｎｌｉｎｋ、ＤＬ）に対して、端末装置はチャネルのプリコーディングマトリックスインジケーター情報（Ｐｒｅｃｏｄｉｎｇ  Ｍａｔｒｉｘ  Ｉｎｄｉｃａｔｏｒ、ＰＭＩ）をネットワーク装置にフィードバックする必要がなく、シグナリングのオーバーヘッドを大幅に低減させ、それと同時に、ネットワークはより優れたプリコーディングマトリックスをより自在に選択することができる。
【００５２】
しかし、ネットワーク側と端末側の干渉が異なるため、端末装置は依然として干渉に関連する情報をネットワークに通知し、ネットワークが比較的良好な変調符号化方式（Ｍｏｄｕｌａｔｉｏｎ  ａｎｄ  Ｃｏｄｉｎｇ  Ｓｃｈｅｍｅ、ＭＣＳ）を選択して伝送できるようにする必要があり、従って、ＣＱＩのフィードバックは依然として必要である。
【００５３】
ネットワークが、チャネル状態表示基準信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌｓ、ＣＳＩ−ＲＳ）を伝送するためのＣＳＩ−ＲＳリソースを設定し、該ＣＳＩ−ＲＳ信号リソースがＮ個のポートを含むことを仮定する。端末装置は該ＣＳＩ−ＲＳに対する測定に基づいて、ダウンリンク（Ｕｐｌｉｎｋ、ＤＬ）に対応するチャネルを取得することができ、それと同時に、干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）を介して干渉測定を行って、チャネル情報と干渉情報を包括的に考慮してＣＱＩを計算し、該ＣＱＩをネットワークに報告することができる。
【００５４】
例えば、５Ｇや新無線（Ｎｅｗ  Ｒａｄｉｏ、ＮＲ）通信システム等の将来の通信システムでは、アンテナ数が増加するため、ＭＵ−ＭＩＭＯ技術の使用確率はＬＴＥシステムに比べて大幅に増加し、従って、このシーンを最適化することは急務である。
【００５５】
本願の実施例において、ネットワーク装置はＣＱＩを計算するためのＫ個のポートを端末装置に示すことにより、端末装置はＮ個のポートのうちの該Ｋ個のポートに基づいてＣＱＩを計算し、それにより、より正確なＣＱＩを取得でき、通信性能を向上させる。
【００５６】
図２は本願の実施例に係るＣＱＩの計算方法の模式的なフローチャートである。図２に示される方法は端末装置によって実行でき、該端末装置は、例えば、図１に示される端末装置２０であってもよい。図２に示されるように、該ＣＱＩの計算方法は以下の２１０〜２３０を含む。
【００５７】
２１０では、端末装置はＮ個のポートから、ＣＱＩを計算するためのＫ個のポートを決定する。
【００５８】
２２０では、端末装置は該Ｋ個のポートに基づいて該ＣＱＩを計算する。
【００５９】
２３０では、端末装置は該ＣＱＩとランクをネットワーク装置に報告する。
【００６０】
該ランク（Ｒａｎｋ、ＲＩ）はＫに等しく、ＫとＮは正の整数である。
【００６１】
従って、端末装置はＮ個のポートのうちのＫ個のポートに基づいてＣＱＩを計算することにより、より正確なＣＱＩを取得することができ、通信性能を向上させる。
【００６２】
選択肢として、２１０では、端末装置がＮ個のポートから、ＣＱＩを計算するためのＫ個のポートを決定することは、端末装置が該ランクに基づいて、Ｎ個のポートから予め設定された該Ｋ個のポートを選択することを含む。
【００６３】
選択肢として、該Ｋ個のポート（ｐｏｒｔ）のポート番号は０〜Ｋ−１であり、又はＮ−Ｋ〜Ｎ−１である。
【００６４】
例えば、予め設定されたＫ個のポートは表１に示されるものであってもよい。該Ｋ個のポートのポート番号はそれぞれ０〜Ｋ−１であり、端末装置の報告待ちランクの値が異なる場合、選択されるＫ個のポートも異なる。
【００６５】
【表１】
2021500776.tif 000003
【００６６】
また例えば、予め設定されたＫ個のポートは表２に示されるものであってもよい。該Ｋ個のポートのポート番号はそれぞれＮ−Ｋ〜Ｎ−１であり、端末装置の報告待ちランクの値が異なる場合、選択されるＫ個のポートも異なる。
【００６７】
【表２】
2021500776.tif 000004
【００６８】
更に、選択肢として、Ｋが奇数である場合、該Ｋ個のポートのポート番号は０〜Ｋ−１であり、Ｋが偶数である場合、該Ｋ個のポートのポート番号はＮ−Ｋ〜Ｎ−１であり、又は、Ｋが偶数である場合、該Ｋ個のポートのポート番号は０〜Ｋ−１であり、Ｋが奇数である場合、該Ｋ個のポートのポート番号はＮ−Ｋ〜Ｎ−１である。
【００６９】
選択肢として、該方法は、端末装置が、選択された該Ｋ個のポートの情報をネットワーク装置に送信することを更に含む。
【００７０】
すなわち、端末装置はＮ個のポートから、Ｋ個のポートを自ら選択し、あるアップリンク伝送を介して、選択された前記Ｋ個のポートの情報をネットワーク装置に送信することができる。
【００７１】
選択肢として、２１０の前に、即ち端末装置がＮ個のポートから、ＣＱＩを計算するためのＫ個のポートを決定する前に、該方法は、
端末装置がネットワーク装置から送信された、該Ｋ個のポートの情報を示すための第１設定情報を受信することを更に含む。
２１０では、端末装置がＮ個のポートから、ＣＱＩを計算するためのＫ個のポートを決定することは、
端末装置が該第１設定情報に基づいて、該Ｎ個のポートから該Ｋ個のポートを決定することを含む。
【００７２】
該実施例では、ネットワーク装置は第１設定情報を端末装置に送信して該Ｋ個のポートの情報を示し、ネットワーク装置は２種の方式で該Ｋ個のポートの情報を該端末装置に示すことができ、以下、それぞれ説明する。
【００７３】
方式１
選択肢として、該第１設定情報は該ＣＱＩを計算するためのターゲットポート設定を含み、該ターゲットポート設定は複数のランクと複数のポートセットとの間の対応関係を含み、該複数のランクにおける異なるランクに対応するポートセットは異なる数のポートを含む。
２１０では、端末装置が前記第１設定情報に基づいて、該Ｎ個のポートから該Ｋ個のポートを決定することは、
端末装置が該ターゲットポート設定及び該ランクに基づいて、該ランクに対応する第１ポートセットを決定し、該第１ポートセットが該Ｋ個のポートを含むことを含む。
【００７４】
具体的に、ネットワーク装置は第１設定情報を介して、ＣＱＩを計算するためのポート設定、即ちターゲットポート設定を端末装置に直接に示すことができ、該ターゲットポート設定には複数のランクと複数のポートセットとの間の対応関係が含まれ、例えば、該ターゲットポート設定は表１又は表２に示されるポート設定であってもよい。端末装置は該ターゲットポート設定及び報告する必要がある該ランクに基づいて、該ターゲットポート設定において、該ランクに対応するポートセット、即ち第１ポートセットを決定して、該第１ポートセットにおけるポートに基づいてＣＱＩを計算する。該ターゲットポート設定において、複数のランクと複数のポートセットとの間には一対一対応し、異なるランクに対応するポートセットにおけるポートの数は異なり、例えば、ランクがＫである場合、対応する該第１ポートセットにはＫ個のポートが含まれる。
【００７５】
方式２
選択肢として、該第１設定情報は該ＣＱＩを計算するためのターゲットポート設定の識別情報を含み、該識別情報は該ターゲットポート設定を識別することに用いられる。
２１０では、端末装置が該第１設定情報に基づいて、該Ｎ個のポートから該Ｋ個のポートを決定することは、
端末装置が該識別情報に基づいて、複数のポート設定から、該識別情報によって示される該ターゲットポート設定を決定し、該複数のポート設定における各ポート設定が複数のランクと複数のポートセットとの間の対応関係を含み、各ポート設定において、異なるランクに対応するポートセットは異なる数のポートを含むことと、
端末装置が該ターゲットポート設定及び該ランクに基づいて、該ランクに対応する第１ポートセットを決定し、該第１ポートセットが該Ｋ個のポートを含むことと、を含む。
【００７６】
具体的に、端末装置には複数のポート設定が予め記憶されることができ、ネットワーク装置は第１設定情報を介して、ＣＱＩを計算するためのターゲットポート設定の識別情報を端末装置に示すことができ、該識別情報は該ターゲットポート設定を識別することに用いられ、それにより端末装置は該識別情報に基づいて、該識別情報によって示される該ターゲットポート設定を該複数のポート設定から見つけることができる。該複数のポート設定における各ポート設定はいずれも複数のランクと複数のポートセットとの間の対応関係を含み、各ポート設定における複数のランクと複数のポートセットとの間には一対一対応し、且つ異なるポート設定における同じランクに対応するポートセットは異なってもよい。端末装置は該ターゲットポート設定におけるランクＫに対応する第１ポートセットにおけるＫ個のポートに基づいて、該ＣＱＩを計算する。
【００７７】
なお、ランクＫに対応するポートセットが複数である場合、端末装置はランクＫに対応するポートセットから、ＣＱＩを計算するための該第１ポートセットとして１つを選択することができる。
【００７８】
選択肢として、該第１ポートセットにおける該Ｋ個のポートのポート番号は０〜Ｋ−１である。
【００７９】
選択肢として、該第１ポートセットにおける該Ｋ個のポートのポート番号はＮ−Ｋ〜Ｎ−１である。
【００８０】
選択肢として、該第１ポートセットにおける該Ｋ個のポートのポート番号は連続する。
【００８１】
選択肢として、該第１ポートセットにおける該Ｋ個のポートのポート番号は連続しており、且つ該Ｋ個のポートのポート番号における最小ポート番号ＭはＭ  ｍｏｄ  Ｋ＝０を満たし、Ｍが自然数である。
【００８２】
例を挙げると、該複数のポート設定は表１、表２、表３、及び表４に示される４種類のポート設定を含んでもよく、該複数のポート設定はネットワーク装置が第２設定情報を介して端末装置に通知するものであってもよく、又は、端末装置に予め記憶されるもの、例えばプロトコルに規定されるものであってもよい。端末装置は第１設定情報に含まれる識別情報に基づいて、該識別情報によって示されるターゲットポート設定において、ランクＲＩ＝Ｋに対応する第１ポートセットを選択して、第１ポートセットにおけるＫ個のポートに基づいてＣＱＩを計算することができる。
【００８３】
表１において、ランクＫに対応するポートセットにおけるポートのポート番号はｐｏｒｔ  ０〜ｐｏｒｔ  Ｋ−１である。
【００８４】
表２において、ランクＫに対応するポートセットにおけるポートのポート番号はｐｏｒｔ  Ｎ−Ｋ〜ｐｏｒｔ  Ｎ−１である。
【００８５】
表３において、各ポートセットにおけるポートのポート番号は連続する。
【００８６】
例えば、ＲＩ＝２の場合、端末装置はＲＩ＝２に対応する複数のポートセット（ｐｏｒｔ  ０，ｐｏｒｔ  １）、（ｐｏｒｔ  １、ｐｏｒｔ  ２）、…、（ｐｏｒｔ  Ｎ−２、ｐｏｒｔ  Ｎ−１）（（ｐｏｒｔ  Ｎ−１、ｐｏｒｔ  ０）を更に含む可能性がある）から、ＣＱＩを計算するための該第１ポートセットとして１つを選択することができる。
【００８７】
ＲＩ＝３の場合、端末装置はＲＩ＝３に対応する複数のポートセット（ｐｏｒｔ  ０，ｐｏｒｔ  １，ｐｏｒｔ  ２）、（ｐｏｒｔ  １、ｐｏｒｔ  ２、ｐｏｒｔ  ３）、…、（ｐｏｒｔ  Ｎ−３、ｐｏｒｔ  Ｎ−２、ｐｏｒｔ  Ｎ−１）（（ｐｏｒｔ  Ｎ−１、ｐｏｒｔ  ０，ｐｏｒｔ  １）と（ｐｏｒｔ  Ｎ−２、ｐｏｒｔ  Ｎ−１、ｐｏｒｔ  ０）を更に含む可能性がある）から、ＣＱＩを計算するための該第１ポートセットとして１つを選択することができる。
【００８８】
表４において、各ポートセットにおけるポートのポート番号は連続しており、且つ該ポートセットにおける最小ポート番号は０であり、又は該ポートセットに対応するランクの値の整数倍である。
【００８９】
例えば、ＲＩ＝２の場合、端末装置はＲＩ＝２に対応する複数のポートセット（ｐｏｒｔ  ０，ｐｏｒｔ  １）、（ｐｏｒｔ  ２、ｐｏｒｔ  ３）、…、（ｐｏｒｔ  Ｎ−２、ｐｏｒｔ  Ｎ−１）（（ｐｏｒｔ  Ｎ−１、ｐｏｒｔ  ０）を更に含む可能性がある）から、ＣＱＩを計算するための該第１ポートセットとして１つを選択することができる。
【００９０】
ＲＩ＝３の場合、端末装置はＲＩ＝３に対応する複数のポートセット（ｐｏｒｔ  ０，ｐｏｒｔ  １，ｐｏｒｔ  ２）、（ｐｏｒｔ  ３、ｐｏｒｔ  ４、ｐｏｒｔ  ５）、…、（ｐｏｒｔ  Ｎ−３、ｐｏｒｔ  Ｎ−２、ｐｏｒｔ  Ｎ−１）（（ｐｏｒｔ  Ｎ−１、ｐｏｒｔ  ０，ｐｏｒｔ  １）又は（ｐｏｒｔ  Ｎ−２、ｐｏｒｔ  Ｎ−１、ｐｏｒｔ  ０）を更に含む可能性がある）から、ＣＱＩを計算するための該第１ポートセットとして１つを選択することができる。
【００９１】
ネットワーク装置はチャネル測定を行うために、端末装置に１つのＮ個のポートのＣＳＩ−ＲＳ信号を設定し、端末装置はＮ個のポートからポートを選択してＣＱＩを計算する。Ｎ＝４とし、４個のポートのポート番号がｐｏｒｔ  １、ｐｏｒｔ  ２，ｐｏｒｔ  ３及びｐｏｒｔ  ４である場合、表３と表４は以下のようになる。
【００９２】
【表３】
2021500776.tif 000005
【００９３】
【表４】
2021500776.tif 000006
【００９４】
なお、表１〜表４は単に例示であり、各ポート設定において、ランクに対応するポートセットは他の形式であってもよく、あるランクが複数のポートセットに対応する場合（例えば表３及び表４）、端末装置は複数種の可能なポートセットから、ＣＱＩを計算するための該第１ポートセットとして１つを選択することができ、更に、端末装置はあるアップリンク伝送において、選択されたポートの情報をネットワーク装置に報告することができ、ランクが１つのポートセットに対応する場合（例えば表１及び表２）、端末装置は該ランクに対応するポートセットにおけるポートに基づいてＣＱＩを計算する。
【００９５】
選択肢として、端末装置がネットワーク装置から送信された該第１設定情報を受信する前に、該方法は、
端末装置がネットワーク装置から送信された、該複数のポート設定を含む第２設定情報を受信することを更に含む。
【００９６】
選択肢として、端末装置がネットワーク装置から送信された第２設定情報を受信することは、
端末装置はネットワーク装置が無線リソース制御（Ｒａｄｉｏ  Ｒｅｓｏｕｒｃｅ  Ｃｏｎｔｒｏｌ、ＲＲＣ）シグナリング、媒体アクセス制御（Ｍｅｄｉｕｍ  Ａｃｃｅｓｓ  Ｃｏｎｔｒｏｌ、ＭＡＣ）制御要素（Ｃｏｎｔｒｏｌ  Ｅｌｅｍｅｎｔ、ＣＥ）を介して送信した該第２設定情報を受信することを含む。
【００９７】
選択肢として、端末装置がネットワーク装置から送信された第１設定情報を受信することは、
端末装置はネットワーク装置がＲＲＣシグナリング、ＭＡＣ  ＣＥ又はダウンリンク制御情報（Ｄｏｗｎｌｏａｄ  Ｃｏｎｔｒｏｌ  Ｉｎｆｏｒｍａｔｉｏｎ、ＤＣＩ）を介して送信した該第１設定情報を受信することを含む。
【００９８】
例えば、ネットワーク装置はＲＲＣシグナリングを介して第２設定情報を端末装置に送信して該複数のポート設定を示し、且つＭＡＣ  ＣＥを介して第１設定情報を端末装置に送信して、ＣＱＩを計算するためのターゲットポート設定の識別情報を示すことができる。
【００９９】
また例えば、ネットワーク装置はＲＲＣシグナリングを介して第２設定情報を端末装置に送信して該複数のポート設定を示し、且つＤＣＩを介して第１設定情報を端末装置に送信して、ＣＱＩを計算するためのターゲットポート設定の識別情報を示すことができる。
【０１００】
また例えば、ネットワーク装置はＭＡＣ  ＣＥを介して第２設定情報を端末装置に送信して該複数のポート設定を示し、且つＤＣＩを介して第１設定情報を端末装置に送信して、ＣＱＩを計算するためのターゲットポート設定の識別情報を示すことができる。
【０１０１】
また例えば、ネットワーク装置はＲＲＣシグナリングを介して第１設定情報を端末装置に直接に送信して、ＣＱＩを計算するためのターゲットポート設定を示すことができる。
【０１０２】
また例えば、ネットワーク装置はＭＡＣ  ＣＥを介して第１設定情報を端末装置に直接に送信して、ＣＱＩを計算するためのターゲットポート設定を示すことができる。
【０１０３】
また例えば、ネットワーク装置はＤＣＩを介して第１設定情報を端末装置に直接に送信して、ＣＱＩを計算するためのターゲットポート設定を示すことができる。
【０１０４】
上記複数のポート設定において、各ポート設定は全て更新できるものである。
【０１０５】
選択肢として、該方法は、
端末装置はネットワーク装置から送信された、該ターゲットポート設定における該ランクに対応する第２ポートセットを含む更新設定情報を受信することと、
端末装置は該ターゲットポート設定における該ランクに対応する前記第１ポートセットを、該第２ポートセットに更新することと、を更に含む。
【０１０６】
選択肢として、該端末装置がネットワーク装置から送信された更新設定情報を受信することは、
端末装置はネットワーク装置がＲＲＣシグナリング、ＭＡＣ  ＣＥ又はＤＣＩを介して送信した該更新設定情報を受信することを含む。
【０１０７】
例えば、ネットワーク装置はＲＲＣシグナリングを介して該第１設定情報を端末装置に送信し、且つＭＡＣ  ＣＥ又はＤＣＩを介して該更新設定情報を端末装置に送信することができる。
【０１０８】
また例えば、ネットワーク装置はＭＡＣ  ＣＥを介して該第１設定情報を端末装置に送信し、且つＤＣＩを介して該更新設定情報を端末装置に送信することができる。
【０１０９】
また例えば、ネットワーク装置はＤＣＩを介して該第１設定情報を端末装置に送信し、且つＤＣＩを介して該更新設定情報を端末装置に送信することができる。
【０１１０】
選択肢として、２３０では、端末装置は該Ｋ個のポートに基づいて該ＣＱＩを計算するときに、該Ｋ個のポートと同じＣＳＩ−ＲＳリソースに属する他のポートを干渉とし、又は該Ｋ個のポートと同じＣＳＩ−ＲＳリソースに属する他のポートを干渉としなくてもよい。
【０１１１】
例えば、ネットワーク装置はチャネル測定を行うために、端末装置に１つの４つのポートのＣＳＩ−ＲＳ信号を設定し、端末装置は４つのポートから２つのポートを選択してＣＱＩを計算する場合、端末装置は選択された２つのポートに基づいてＣＱＩを計算するときに、選択された該２つのポートと同じＣＳＩ−ＲＳリソースに属する他の２つのポートは干渉とされてもよく、即ち、干渉は該他の２つのポート及び該ＣＳＩ−ＲＳリソース以外の他のポートから発生し、又は、選択された該２つのポートと同じＣＳＩ−ＲＳリソースに属する他の２つのポートは干渉とされなくてもよく、即ち、干渉は該ＣＳＩ−ＲＳリソース以外の他のポートのみから発生する。
【０１１２】
図３は本願の実施例に係るＣＱＩの計算方法の模式的なフローチャートである。図３に示される方法はネットワーク装置によって実行でき、該ネットワーク装置は、例えば、図１に示されるネットワーク装置１０であり得る。図３に示されるように、該ＣＱＩの計算方法は以下の３１０〜３２０を含む。
【０１１３】
３１０では、ネットワーク装置は第１設定情報を端末装置に送信し、前記第１設定情報は前記端末装置がチャネル品質指標（ＣＱＩ）を計算するためのＫ個のポートを示し、それにより前記端末装置は前記第１設定情報に基づいてＮ個のポートから前記Ｋ個のポートを決定して、前記Ｋ個のポートに基づいて前記ＣＱＩを計算し、且つ前記ＣＱＩとランクを報告し、前記ランクはＫに等しく、ＫとＮは正の整数である。
【０１１４】
３２０では、前記ネットワーク装置は前記端末装置が前記第１設定情報に基づいて送信した前記ＣＱＩを受信する。
【０１１５】
従って、ネットワーク装置はＣＱＩを計算するためのＫ個のポートを端末装置に示すことにより、端末装置は該Ｋ個のポートに基づいてＣＱＩを計算することができ、それにより、より正確なＣＱＩを取得して、通信性能を向上させる。
【０１１６】
選択肢として、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、前記ターゲットポート設定は、前記端末装置が前記ランクに対応する第１ポートセットを決定することに用いられ、前記第１ポートセットは前記Ｋ個のポートを含む。
【０１１７】
選択肢として、前記第１設定情報は前記ＣＱＩを計算するためのターゲットポート設定の識別情報を含み、前記識別情報は前記ターゲットポート設定を識別することに用いられ、前記識別情報は前記端末装置が複数のポート設定から、前記識別情報によって示される前記ターゲットポート設定を決定することに用いられ、前記複数のポート設定における各ポート設定は複数のランクと複数のポートセットとの間の対応関係を含み、前記各ポート設定において、異なるランクに対応するポートセットは異なる数のポートを含み、前記ターゲットポート設定は、前記端末装置が前記ランクに対応する第１ポートセットを決定することに用いられ、前記第１ポートセットは前記Ｋ個のポートを含む。
【０１１８】
選択肢として、前記ネットワーク装置が第１設定情報を端末装置に送信する前に、前記方法は、
前記ネットワーク装置は前記複数のポート設定を含む第２設定情報を前記端末装置に送信することを更に含む。
【０１１９】
選択肢として、前記ネットワーク装置が第２設定情報を前記端末装置に送信することは、
前記ネットワーク装置が無線リソース制御（ＲＲＣ）シグナリング、媒体アクセス制御要素（ＭＡＣ  ＣＥ）を介して、前記第２設定情報を前記端末装置に送信することを含む。
【０１２０】
選択肢として、前記ネットワーク装置が第１設定情報を前記端末装置に送信することは、
前記ネットワーク装置がＲＲＣシグナリング、ＭＡＣ  ＣＥ又はダウンリンク制御情報（ＤＣＩ）を介して、前記第１設定情報を前記端末装置に送信することを含む。
【０１２１】
選択肢として、第１ポートセットにおける前記Ｋ個のポートのポート番号は連続する。
【０１２２】
選択肢として、第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数である。
【０１２３】
選択肢として、前記Ｋ個のポートのポート番号は０〜Ｋ−１であり、又はＮ−Ｋ〜Ｎ−１である。
【０１２４】
選択肢として、前記方法は、
前記ネットワーク装置が更新設定情報を前記端末装置に送信し、前記更新設定情報は前記ターゲットポート設定における前記ランクに対応する第２ポートセットを含み、前記第２ポートセットは前記端末装置が前記ターゲットポート設定における前記ランクに対応する前記第１ポートセットを更新することに用いられることを更に含む。
【０１２５】
選択肢として、前記ネットワーク装置が更新設定情報を前記端末装置に送信することは、
前記ネットワーク装置がＲＲＣシグナリング、ＭＡＣ  ＣＥ又はＤＣＩを介して、前記更新設定情報を前記端末装置に送信することを含む。
【０１２６】
なお、ネットワーク装置が、ＣＱＩを計算するためのを端末装置に示す過程における具体的な詳細については、上記図２における端末装置に関連する説明を参照することができ、簡潔のために、ここで繰り返して説明しない。
【０１２７】
また、本願の様々な実施例では、上記各過程の番号の大きさは実行順序を意味せず、各過程の実行順序はその機能及び内部ロジックによって決定されるべきであり、本願の実施例の実施過程に対するいかなる制限を構成すべきではない。
【０１２８】
以上では、本願の実施例に係るキャリアの選別方法を詳細に説明したが、以下では図４〜図７を参照しながら本願の実施例に係る装置を説明し、方法実施例に説明された技術的特徴は以下の装置実施例に適用できる。
【０１２９】
図４は本願の実施例に係る端末装置４００の模式的なブロック図である。図４に示されるように、該端末装置４００は処理ユニット４１０と送信ユニット４２０を備え、
処理ユニット４１０は、Ｎ個のポートから、チャネル品質指標（ＣＱＩ）を計算するためのＫ個のポートを決定することと、前記Ｋ個のポートに基づいて前記ＣＱＩを計算することと、に用いられ、
送信ユニット４２０は、前記ＣＱＩとランクをネットワーク装置に報告することに用いられ、前記ランクがＫに等しく、ＫとＮが正の整数である。
【０１３０】
従って、端末装置はＮ個のポートのうちのＫ個のポートに基づいてＣＱＩを計算し、それにより、より正確なＣＱＩを取得することができ、通信性能を向上させる。
【０１３１】
選択肢として、前記処理ユニット４１０は更に、前記ランクに基づいて、Ｎ個のポートから予め設定された前記Ｋ個のポートを選択することに用いられる。
【０１３２】
選択肢として、前記Ｋ個のポートのポート番号は０〜Ｋ−１であり、又はＮ−Ｋ〜Ｎ−１である。
【０１３３】
選択肢として、Ｋが奇数である場合、前記Ｋ個のポートのポート番号は０〜Ｋ−１であり、Ｋが偶数である場合、前記Ｋ個のポートのポート番号はＮ−Ｋ〜Ｎ−１であり、又はＫが偶数である場合、前記Ｋ個のポートのポート番号は０〜Ｋ−１であり、Ｋが奇数である場合、前記Ｋ個のポートのポート番号はＮ−Ｋ〜Ｎ−１である。
【０１３４】
選択肢として、前記送信ユニット４２０は更に、選択された前記Ｋ個のポートの情報を前記ネットワーク装置に送信することに用いられる。
【０１３５】
選択肢として、前記端末装置は受信ユニット４３０を更に備え、前記受信ユニット４３０は、ネットワーク装置から送信された、前記Ｋ個のポートの情報を示すための第１設定情報を受信することに用いられ、前記処理ユニット４１０は具体的に、前記第１設定情報に基づいて、前記Ｎ個のポートから前記Ｋ個のポートを決定することに用いられる。
【０１３６】
選択肢として、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、前記処理ユニット４１０は具体的に、前記ターゲットポート設定及び前記ランクに基づいて、前記ランクに対応する第１ポートセットを決定することに用いられ、前記第１ポートセットは前記Ｋ個のポートを含む。
【０１３７】
選択肢として、前記第１設定情報は前記ＣＱＩを計算するためのターゲットポート設定の識別情報を含み、前記識別情報は前記ターゲットポート設定を識別することに用いられ、前記処理ユニット４１０は具体的に、
前記識別情報に基づいて、複数のポート設定から、前記識別情報によって示される前記ターゲットポート設定を決定し、前記複数のポート設定における各ポート設定は複数のランクと複数のポートセットとの間の対応関係を含み、前記各ポート設定において、異なるランクに対応するポートセットは異なる数のポートを含むことと、
前記ターゲットポート設定及び前記ランクに基づいて、前記ランクに対応する第１ポートセットを決定し、前記第１ポートセットが前記Ｋ個のポートを含むことと、に用いられる。
【０１３８】
選択肢として、前記受信ユニット４３０は更に、前記ネットワーク装置から送信された、前記複数のポート設定を含む第２設定情報を受信することに用いられる。
【０１３９】
選択肢として、前記受信ユニット４３０は具体的に、前記ネットワーク装置が無線リソース制御（ＲＲＣ）シグナリング、媒体アクセス制御要素（ＭＡＣ  ＣＥ）を介して送信した前記第２設定情報を受信することに用いられる。
【０１４０】
選択肢として、前記受信ユニット４３０は具体的に、前記ネットワーク装置がＲＲＣシグナリング、ＭＡＣ  ＣＥ又はダウンリンク制御情報（ＤＣＩ）を介して送信した前記第１設定情報を受信することに用いられる。
【０１４１】
選択肢として、第１ポートセットにおける前記Ｋ個のポートのポート番号は連続する。
【０１４２】
選択肢として、第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数である。
【０１４３】
選択肢として、前記Ｋ個のポートのポート番号は０〜Ｋ−１であり、又はＮ−Ｋ〜Ｎ−１である。
【０１４４】
選択肢として、受信ユニット４３０は更に、前記ネットワーク装置から送信された、前記ターゲットポート設定における前記ランクに対応する第２ポートセットを含む更新設定情報を受信することに用いられ、
前記処理ユニット４１０は更に、前記ターゲットポート設定における前記ランクに対応する前記第１ポートセットを、前記第２ポートセットに更新することに用いられる。
【０１４５】
選択肢として、前記受信ユニット４３０は具体的に、前記ネットワーク装置がＲＲＣシグナリング、ＭＡＣ  ＣＥ又はＤＣＩを介して送信した前記更新設定情報を受信することに用いられる。
【０１４６】
選択肢として、前記処理ユニット４１０は前記ＣＱＩを計算するときに、前記Ｋ個のポートと同じチャネル状態表示基準信号（ＣＳＩ−ＲＳ）リソースに属する他のポートを干渉とし、又は前記Ｋ個のポートと同じＣＳＩ−ＲＳリソースに属する他のポートを干渉としない。
【０１４７】
なお、該端末装置４００は、上記方法実施例における端末装置により実行される方法２００の対応する操作を実行することができ、簡潔のために、ここで繰り返して説明しない。
【０１４８】
図５は本願の実施例に係るネットワーク装置５００の模式的なブロック図である。図５に示されるように、該ネットワーク装置５００は送信ユニット５１０と受信ユニット５２０を備え、
送信ユニット５１０は、第１設定情報を端末装置に送信することに用いられ、前記第１設定情報は前記端末装置がチャネル品質指標（ＣＱＩ）を計算するためのＫ個のポートを示し、それにより前記端末装置は前記第１設定情報に基づいてＮ個のポートから前記Ｋ個のポートを決定して、前記Ｋ個のポートに基づいて前記ＣＱＩを計算し、且つ前記ＣＱＩとランクを報告し、前記ランクがＫに等しく、ＫとＮが正の整数であり、
受信ユニット５２０は、前記端末装置が前記第１設定情報に基づいて送信した前記ＣＱＩを受信することに用いられる。
【０１４９】
従って、ネットワーク装置はＣＱＩを計算するためのＫ個のポートを端末装置に示すことにより、端末装置は該Ｋ個のポートに基づいてＣＱＩを計算し、それにより、より正確なＣＱＩを取得でき、通信性能を向上させる。
【０１５０】
選択肢として、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、前記ターゲットポート設定は、前記端末装置が前記ランクに対応する第１ポートセットを決定することに用いられ、前記第１ポートセットは前記Ｋ個のポートを含む。
【０１５１】
選択肢として、前記第１設定情報は前記ＣＱＩを計算するためのターゲットポート設定の識別情報を含み、前記識別情報は前記ターゲットポート設定を識別することに用いられ、前記識別情報は前記端末装置が複数のポート設定から、前記識別情報によって示される前記ターゲットポート設定を決定することに用いられ、前記複数のポート設定における各ポート設定は複数のランクと複数のポートセットとの間の対応関係を含み、前記各ポート設定において、異なるランクに対応するポートセットは異なる数のポートを含み、前記ターゲットポート設定は、前記端末装置が前記ランクに対応する第１ポートセットを決定することに用いられ、前記第１ポートセットは前記Ｋ個のポートを含む。
【０１５２】
選択肢として、前記送信ユニット５１０は更に、前記複数のポート設定を含む第２設定情報を前記端末装置に送信することに用いられる。
【０１５３】
選択として、前記送信ユニット５１０は具体的に、無線リソース制御（ＲＲＣ）シグナリング、媒体アクセス制御要素（ＭＡＣ  ＣＥ）を介して前記第２設定情報を前記端末装置に送信することに用いられる。
【０１５４】
選択として、前記送信ユニット５１０は具体的に、ＲＲＣシグナリング、ＭＡＣ  ＣＥ又はダウンリンク制御情報（ＤＣＩ）を介して、前記第１設定情報を前記端末装置に送信することに用いられる。
【０１５５】
選択肢として、第１ポートセットにおける前記Ｋ個のポートのポート番号は連続する。
【０１５６】
選択肢として、第１ポートセットにおける前記Ｋ個のポートのポート番号は連続しており、且つ前記Ｋ個のポートのポート番号における最小ポート番号ＭはＭ  ｍｏｄ  Ｋ＝０を満たし、Ｍが自然数である。
【０１５７】
選択肢として、前記Ｋ個のポートのポート番号は０〜Ｋ−１であり、又はＮ−Ｋ〜Ｎ−１である。
【０１５８】
選択肢として、前記送信ユニット５１０は更に、前記ターゲットポート設定における前記ランクに対応する第２ポートセットを含む更新設定情報を、前記端末装置に送信することに用いられ、前記第２ポートセットは前記端末装置が、前記ターゲットポート設定における前記ランクに対応する前記第１ポートセットを更新することに用いられる。
【０１５９】
選択肢として、前記送信ユニット５１０は具体的に、ＲＲＣシグナリング、ＭＡＣ  ＣＥ又はＤＣＩを介して、前記更新設定情報を前記端末装置に送信することに用いられる。
【０１６０】
なお、該ネットワーク装置５００は、上記方法実施例におけるネットワーク装置によって実行される方法３００の対応する操作を実行することができ、簡潔のために、ここで繰り返して説明しない。
【０１６１】
図６は本願の実施例に係る通信装置６００の構造模式図である。図６に示されるように、該通信装置はプロセッサ６１０、送受信機６２０及びメモリ６３０を備え、該プロセッサ６１０、送受信機６２０及びメモリ６３０の間には内部接続パスを介して互いに通信する。該メモリ６３０は命令を記憶するためのものであり、該プロセッサ６１０は該メモリ６３０に記憶される命令を実行して、該送受信機６２０による信号の送受信を制御するためのものである。
【０１６２】
選択肢として、該プロセッサ６１０はメモリ６３０に記憶されるプログラムコードを呼び出して、方法実施例における端末装置によって実行される方法２００の対応する操作を実行することができ、簡潔のために、ここで繰り返して説明しない。
【０１６３】
選択肢として、該プロセッサ６１０はメモリ６３０に記憶されるプログラムコードを呼び出して、方法実施例におけるネットワーク装置によって実行される方法３００の対応する操作を実行することができ、簡潔のために、ここで繰り返して説明しない。
【０１６４】
なお、本願の実施例に係るプロセッサは信号処理能力を持つ集積回路チップであり得る。実現過程において、上記方法実施例の各ステップは、プロセッサにおけるハードウェアの集成論理回路又はソフトウェア形態の命令によって完了することができる。上記プロセッサは汎用プロセッサ、デジタル信号プロセッサ（Ｄｉｇｉｔａｌ  Ｓｉｇｎａｌ  Ｐｒｏｃｅｓｓｏｒ、ＤＳＰ）、特定用途向け集積回路（Ａｐｐｌｉｃａｔｉｏｎ  Ｓｐｅｃｉｆｉｃ  Ｉｎｔｅｇｒａｔｅｄ  Ｃｉｒｃｕｉｔ、ＡＳＩＣ）、フィールドプログラム可能なゲートアレイ（Ｆｉｅｌｄ  Ｐｒｏｇｒａｍｍａｂｌｅ  Ｇａｔｅ  Ａｒｒａｙ、ＦＰＧＡ）又は他のプログラム可能なロジックデバイス、ディスクリートゲート又はトランジスタロジックデバイス、ディスクリートハードウェアコンポーネント等であってもよい。本願の実施例における開示された各方法、ステップ及び論理ブロック図を実現又は実行することができる。汎用プロセッサはマイクロプロセッサーであってもよく、又は、該プロセッサは任意の一般的なプロセッサ等であってもよい。本願の実施例を組み合わせて開示された方法のステップは、ハードウェアデコードプロセッサによって実行して完了され、又はデコードプロセッサにおけるハードウェアとソフトウェアモジュールの組み合わせによって実行して完了されるように直接に具現化することができる。ソフトウェアモジュールはランダムアクセスメモリ、フラッシュメモリ、読み取り専用メモリ、プログラマブル読み取り専用メモリ又は電気的に消去可能なプログラマブルメモリ、レジスタ等の本分野の成熟した記憶媒体に位置してもよい。該記憶媒体はメモリに位置し、プロセッサはメモリにおける情報を読み取り、そのハードウェアと組み合わせて上記方法のステップを完了する。
【０１６５】
なお、本願の実施例におけるメモリは揮発性メモリ又は不揮発性メモリであってもよく、又は揮発性と不揮発性メモリの両方を含んでもよい。不揮発性メモリは読み取り専用メモリ（Ｒｅａｄ−Ｏｎｌｙ  Ｍｅｍｏｒｙ、ＲＯＭ）、プログラマブル読み取り専用メモリ（Ｐｒｏｇｒａｍｍａｂｌｅ  ＲＯＭ、ＰＲＯＭ）、消去可能なプログラマブル読み取り専用メモリ（Ｅｒａｓａｂｌｅ  ＰＲＯＭ、ＥＰＲＯＭ）、電気的に消去可能なプログラマブル読み取り専用メモリ（Ｅｌｅｃｔｒｉｃａｌｌｙ  ＥＰＲＯＭ、ＥＥＰＲＯＭ）又はフラッシュメモリであってもよい。揮発性メモリはランダムアクセスメモリ（Ｒａｎｄｏｍ  Ａｃｃｅｓｓ  Ｍｅｍｏｒｙ、ＲＡＭ）であってもよく、外部キャッシュとして使用される。限定的ではなく例示的な説明により、例えば、スタティックランダムアクセスメモリ（Ｓｔａｔｉｃ  ＲＡＭ、ＳＲＡＭ）、ダイナミックランダムアクセスメモリ（Ｄｙｎａｍｉｃ  ＲＡＭ、ＤＲＡＭ）、同期ダイナミックランダムアクセスメモリ（Ｓｙｎｃｈｒｏｎｏｕｓ  ＤＲＡＭ、ＳＤＲＡＭ）、ダブルデータレート同期ダイナミックランダムアクセスメモリ（Ｄｏｕｂｌｅ  Ｄａｔａ  Ｒａｔｅ  ＳＤＲＡＭ、ＤＤＲ  ＳＤＲＡＭ）、拡張同期ダイナミックランダムアクセスメモリ（Ｅｎｈａｎｃｅｄ  ＳＤＲＡＭ、ＥＳＤＲＡＭ）、同期接続ダイナミックランダムアクセスメモリ（Ｓｙｎｃｈｌｉｎｋ  ＤＲＡＭ、ＳＬＤＲＡＭ）、ダイレクトメモリバスランダムアクセスメモリ（Ｄｉｒｅｃｔ  Ｒａｍｂｕｓ  ＲＡＭ、ＤＲ  ＲＡＭ）といった多数の形態のＲＡＭは利用可能である。なお、本明細書に説明されたシステム及び方法のメモリは、これらのメモリ及び他の任意の適切なタイプのメモリを含むが、これらに制限されないことを意図している。
【０１６６】
図７は本願の実施例に係るシステムチップの構造模式図である。図７のシステムチップ７００は、入力インタフェース７０１、出力インタフェース７０２、少なくとも１つのプロセッサ７０３、及びメモリ７０４を備え、前記入力インタフェース７０１、出力インタフェース７０２、前記プロセッサ７０３及びメモリ７０４の間には内部接続パスを介して互いに接続される。前記プロセッサ７０３は前記メモリ７０４におけるコードを実行することに用いられる。
【０１６７】
選択肢として、前記コードが実行されるときに、前記プロセッサ７０３は方法実施例における端末装置によって実行される方法２００を実現することができる。簡潔のために、ここで繰り返して説明しない。
【０１６８】
選択肢として、前記コードが実行されるときに、前記プロセッサ７０３は方法実施例におけるネットワーク装置によって実行される方法３００を実現することができる。簡潔のために、ここで繰り返して説明しない。
【０１６９】
当業者であれば理解できるように、本明細書に開示された実施例を参照して説明された各例示的なユニット及びアルゴリズムステップは、電子ハードウェア、又はコンピュータソフトウェアと電子ハードウェアの組み合わせによって実現できる。これらの機能がハードウェア又はソフトウェアの形態で実行されるかは、技術案の特定の応用及び設計制約条件によって決めされる。当業者は各特定の応用に対して説明される機能を異なる方法で実現することができるが、このような実現は本願の範囲を超えると見なされるべきではない。
【０１７０】
当業者が明瞭に理解できるように、説明の便宜及び簡明のために、上記説明されるシステム、装置及びユニットの具体的な動作過程については、上記方法実施例における対応の過程を参照することができ、ここで繰り返して説明しない。
【０１７１】
本願に係るいくつかの実施例では、開示されたシステム、装置及び方法が他の形態により実現されてもよいことは理解すべきである。例えば、以上の説明した装置の実施例は例示的なものに過ぎず、例えば、該ユニットの分割はロジック機能の分割に過ぎず、実際の実現では他の分割方式があってもよく、例えば、複数のユニット又は要素は他のシステムに組み合わせ又は統合してもよく、又は一部の特徴を無視したり実行しなかったりしてもよい。また、表示又は検討される相互結合、或いは直接結合又は通信接続はいくつかのインタフェース、装置又はユニットを介する間接結合又は通信接続であってもよく、電気的、機械的、又は他の形態であってもよい。
【０１７２】
分離部材として説明した前記ユニットは、物理的に分離してもよく、物理的に分離しなくてもよく、ユニットとして表示される部材は、物理的ユニットであってもよく、又は物理的ユニットでなくてもよく、即ち、１つの場所に位置してもよく、又は複数のネットワークユニットに分散してもよい。実際のニーズに応じて、一部又は全てのユニットを選択して本実施例の技術案の目的を実現することができる。
【０１７３】
また、本願のそれぞれの実施例における各機能ユニットは１つの監視ユニットに統合されてもよく、それぞれのユニットが別々に物理的に存在してもよく、更に、２つ以上のユニットが１つのユニットに統合されてもよい。
【０１７４】
前記機能はソフトウェア機能ユニットの形態で実現され独立した製品として販売又は使用される場合、１つのコンピュータ可読記憶媒体に記憶されてもよい。このような理解に基づいて、本願の技術案は本質的に又は従来技術に貢献する部分又は該技術案の一部はソフトウェア製品の形態で実施され得ており、該コンピュータソフトウェア製品は１つの記憶媒体に記憶され、１つのコンピュータ装置（パーソナルコンピュータ、サーバ、又はネットワーク装置等であってもよい）に本願の各実施例に記載の全て又は一部のステップを実行させるための複数の命令を含む。上記記憶媒体はＵディスク、モバイルディスク、読み出し専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスク等のプロクラムコードを記憶可能な種々の媒体を含む。
【０１７５】
以上は本願の具体的な実施形態に過ぎず、本願の保護範囲はこれに限定されるものではなく、当業者が本願に開示されている技術範囲を逸脱せずに容易に想到し得る変更や置換はすべて本願の保護範囲に属する。従って、本願の保護範囲は、前記特許請求の範囲の保護範囲を基準とすべきである。
【図１】
2021500776.tif 000007
【図２】
2021500776.tif 000008
【図３】
2021500776.tif 000009
【図４】
2021500776.tif 000010
【図５】
2021500776.tif 000011
【図６】
2021500776.tif 000012
【図７】
2021500776.tif 000013
【手続補正書】
【提出日】令和2年8月27日(2020.8.27)
【手続補正１】
【補正対象書類名】明細書
【補正対象項目名】００１１
【補正方法】変更
【補正の内容】
【００１１】
可能な実施態様では、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記端末装置が前記第１設定情報に基づいて、前記Ｎ個のポートから前記Ｋ個のポートを決定することは、
前記端末装置は前記ターゲットポート設定及び前記複数のランクにおけるランクに基づいて、前記複数のランクにおけるランクに対応する第１ポートセットを決定し、前記第１ポートセットが前記Ｋ個のポートを含むことを含む。
【手続補正２】
【補正対象書類名】明細書
【補正対象項目名】００１２
【補正方法】変更
【補正の内容】
【００１２】
可能な実施態様では、前記第１設定情報は前記ＣＱＩを計算するためのターゲットポート設定の識別情報を含み、前記識別情報は前記ターゲットポート設定を識別することに用いられ、
前記端末装置が前記第１設定情報に基づいて、前記Ｎ個のポートから前記Ｋ個のポートを決定することは、
前記端末装置が前記識別情報に基づいて、複数のポート設定から、前記識別情報によって示される前記ターゲットポート設定を決定し、前記複数のポート設定における各ポート設定が複数のランクと複数のポートセットとの間の対応関係を含み、前記各ポート設定において、異なるランクに対応するポートセットは異なる数のポートを含むことと、
前記端末装置が前記ターゲットポート設定及び前記複数のランクにおけるランクに基づいて、前記複数のランクにおけるランクに対応する第１ポートセットを決定し、前記第１ポートセットが前記Ｋ個のポートを含むことと、を含む。
【手続補正３】
【補正対象書類名】明細書
【補正対象項目名】００１９
【補正方法】変更
【補正の内容】
【００１９】
可能な実施態様では、前記方法は、
前記端末装置が前記ネットワーク装置から送信された更新設定情報を受信し、前記更新設定情報は前記ターゲットポート設定における前記複数のランクにおけるランクに対応する第２ポートセットを含むことと、
前記端末装置が前記ターゲットポート設定における前記複数のランクにおけるランクに対応する前記第１ポートセットを、前記第２ポートセットに更新することと、を更に含む。
【手続補正４】
【補正対象書類名】明細書
【補正対象項目名】００２４
【補正方法】変更
【補正の内容】
【００２４】
可能な実施態様では、前記第１設定情報は前記ＣＱＩを計算するためのターゲットポート設定を含み、前記ターゲットポート設定は複数のランクと複数のポートセットとの間の対応関係を含み、前記複数のランクにおける異なるランクに対応するポートセットは異なる数のポートを含み、
前記ターゲットポート設定は、前記端末装置が前記複数のランクにおけるランクに対応する第１ポートセットを決定することに用いられ、前記第１ポートセットは前記Ｋ個のポートを含む。
【手続補正５】
【補正対象書類名】明細書
【補正対象項目名】００２５
【補正方法】変更
【補正の内容】
【００２５】
可能な実施態様では、前記第１設定情報は前記ＣＱＩを計算するためのターゲットポート設定の識別情報を含み、前記識別情報は前記ターゲットポート設定を識別することに用いられ、
前記識別情報は前記端末装置が複数のポート設定から前記識別情報によって示される前記ターゲットポート設定を決定することに用いられ、前記複数のポート設定における各ポート設定は複数のランクと複数のポートセットとの間の対応関係を含み、前記各ポート設定において、異なるランクに対応するポートセットは異なる数のポートを含み、
前記ターゲットポート設定は、前記端末装置が前記複数のランクにおけるランクに対応する第１ポートセットを決定することに用いられ、前記第１ポートセットは前記Ｋ個のポートを含む。
【手続補正６】
【補正対象書類名】明細書
【補正対象項目名】００３２
【補正方法】変更
【補正の内容】
【００３２】
可能な実施態様では、前記方法は、
前記ネットワーク装置が更新設定情報を前記端末装置に送信し、前記更新設定情報は前記ターゲットポート設定における前記複数のランクにおけるランクに対応する第２ポートセットを含み、前記第２ポートセットは前記端末装置が前記ターゲットポート設定における前記複数のランクにおけるランクに対応する前記第１ポートセットを更新することに用いられることを更に含む。
【手続補正７】
【補正対象書類名】明細書
【補正対象項目名】００５３
【補正方法】変更
【補正の内容】
【００５３】
ネットワークが、チャネル状態表示基準信号（Ｃｈａｎｎｅｌ  Ｓｔａｔｅ  Ｉｎｄｉｃａｔｉｏｎ  Ｒｅｆｅｒｅｎｃｅ  Ｓｉｇｎａｌｓ、ＣＳＩ−ＲＳ）を伝送するためのＣＳＩ−ＲＳリソースを設定し、該ＣＳＩ−ＲＳ信号リソースがＮ個のポートを含むことを仮定する。端末装置は該ＣＳＩ−ＲＳに対する測定に基づいて、ダウンリンク（Ｄｏｗｎｌｉｎｋ、ＤＬ）に対応するチャネルを取得することができ、それと同時に、干渉測定リソース（Ｉｎｔｅｒｆｅｒｅｎｃｅ  Ｍｅａｓｕｒｅｍｅｎｔ  Ｒｅｓｏｕｒｃｅ、ＩＭＲ）を介して干渉測定を行って、チャネル情報と干渉情報を包括的に考慮してＣＱＩを計算し、該ＣＱＩをネットワークに報告することができる。
【手続補正８】
【補正対象書類名】明細書
【補正対象項目名】０１２６
【補正方法】変更
【補正の内容】
【０１２６】
なお、ネットワーク装置が、ＣＱＩを計算するためのポート設定を端末装置に示す過程における具体的な詳細については、上記図２における端末装置に関連する説明を参照することができ、簡潔のために、ここで繰り返して説明しない。
【手続補正９】
【補正対象書類名】特許請求の範囲
【補正対象項目名】全文
【補正方法】変更
【補正の内容】
【特許請求の範囲】
【請求項１】
ＣＱＩの計算方法であって、
端末装置がランクのためのＫ個のポートを決定し、Ｋは前記ランクと相関し、前記ランクは１〜Ｎに属し、Ｎはチャネル状態表示基準信号（ＣＳＩ−ＲＳ）リソースにおけるポート数であることと、
前記端末装置が前記Ｋ個のポートに基づいて前記ランクのための前記ＣＱＩを計算することと、
前記端末装置が前記ＣＱＩと前記ランクをネットワーク装置に報告し、前記ランクがＫに等しいことと、を含み、
ＫとＮは正の整数であることを特徴とするＣＱＩの計算方法。
【請求項２】
前記端末装置が前記ランクのためのＫ個のポートを決定することは、
前記端末装置が前記ランクに基づいて、Ｎ個のポートから前記Ｋ個のポートを選択することを含むことを特徴とする請求項１に記載の方法。
【請求項３】
前記Ｋ個のポートのポート番号は０〜Ｋ−１であることを特徴とする請求項２に記載の方法。
【請求項４】
前記端末装置が前記ランクのためのＫ個のポートを決定する前に、前記方法は、
前記端末装置がネットワーク装置から送信された、前記Ｋ個のポートのポート情報を含む序列を示すための第１設定情報を受信することを更に含み、
前記端末装置が前記ランクのためのＫ個のポートを決定することは、
前記端末装置が前記第１設定情報に基づいて、前記Ｎ個のポートから前記Ｋ個のポートを決定することを含むことを特徴とする請求項１に記載の方法。
【請求項５】
前記第１設定情報は前記ＣＱＩを計算するためのポート設定を含み、前記ポート設定は複数のランクと複数のポートセットとの間の対応関係を含み、前記複数のランクにおける異なるランクに対応するポートセットは異なる数のポートを含み、
前記端末装置が前記第１設定情報に基づいて、前記Ｎ個のポートから前記Ｋ個のポートを決定することは、
前記端末装置は前記ポート設定及び前記複数のランクにおけるランクに基づいて、前記複数のランクにおけるランクに対応する第１ポートセットを決定し、前記第１ポートセットが前記Ｋ個のポートを含むことを含むことを特徴とする請求項４に記載の方法。
【請求項６】
前記端末装置がネットワーク装置から送信された第１設定情報を受信することは、
前記端末装置が、前記ネットワーク装置がＲＲＣシグナリングを介して送信した前記第１設定情報を受信することを含むことを特徴とする請求項４又は５に記載の方法。
【請求項７】
前記端末装置が前記ネットワーク装置から送信された更新設定情報を受信し、前記更新設定情報は前記ポート設定における前記複数のランクにおけるランクに対応する第２ポートセットを含むことと、
前記端末装置が前記ポート設定における前記複数のランクにおけるランクに対応する前記第１ポートセットを、前記第２ポートセットに更新することと、を更に含むことを特徴とする請求項５に記載の方法。
【請求項８】
前記端末装置が前記ネットワーク装置から送信された更新設定情報を受信することは、
前記端末装置が、前記ネットワーク装置がＲＲＣシグナリングを介して送信した前記更新設定情報を受信することを含むことを特徴とする請求項７に記載の方法。
【請求項９】
Ｎ個のポートから、ランクのためのＫ個のポートを決定し、Ｋは前記ランクと相関し、前記ランクは１〜Ｎに属し、Ｎはチャネル状態表示基準信号（ＣＳＩ−ＲＳ）リソースにおけるポート数であることに用いられる処理ユニットと、
前記ＣＱＩと前記ランクをネットワーク装置に報告することに用いられ、前記ランクがＫに等しい送信ユニットと、を備え、
前記処理ユニットは更に、前記Ｋ個のポートに基づいて前記ランクのための前記ＣＱＩを計算することに用いられ、
ＫとＮは正の整数であることを特徴とする端末装置。
【請求項１０】
前記処理ユニットは更に、
前記ランクに基づいて、Ｎ個のポートから前記Ｋ個のポートを選択することに用いられることを特徴とする請求項９に記載の端末装置。
【請求項１１】
前記Ｋ個のポートのポート番号は０〜Ｋ−１であることを特徴とする請求項１０に記載の端末装置。
【請求項１２】
前記端末装置は受信ユニットを更に備え、前記受信ユニットは、
ネットワーク装置から送信された、前記Ｋ個のポートのポート情報を含む序列を示すための第１設定情報を受信することに用いられ、
前記処理ユニットは、
前記第１設定情報に基づいて、前記Ｎ個のポートから前記Ｋ個のポートを決定することに用いられることを特徴とする請求項９に記載の端末装置。
【請求項１３】
前記第１設定情報は前記ＣＱＩを計算するためのポート設定を含み、前記ポート設定は複数のランクと複数のポートセットとの間の対応関係を含み、前記複数のランクにおける異なるランクに対応するポートセットは異なる数のポートを含み、
前記処理ユニットは、
前記ポート設定及び前記複数のランクにおけるランクに基づいて、前記複数のランクにおけるランクに対応する第１ポートセットを決定することに用いられ、前記第１ポートセットは前記Ｋ個のポートを含むことを特徴とする請求項１２に記載の端末装置。
【請求項１４】
前記受信ユニットは、
前記ネットワーク装置がＲＲＣシグナリングを介して送信した前記第１設定情報を受信することに用いられることを特徴とする請求項１２又は１３に記載の端末装置。
【請求項１５】
受信ユニットは更に、
前記ネットワーク装置から送信された、前記ポート設定における前記複数のランクにおけるランクに対応する第２ポートセットを含む更新設定情報を受信することに用いられ、
前記処理ユニットは更に、
前記ポート設定における前記複数のランクにおけるランクに対応する前記第１ポートセットを、前記第２ポートセットに更新することに用いられることを特徴とする請求項１４に記載の端末装置。
【請求項１６】
前記受信ユニットは、
前記ネットワーク装置がＲＲＣシグナリングを介して送信した前記更新設定情報を受信することに用いられることを特徴とする請求項１５に記載の端末装置。
【国際調査報告】
2021500776.tif 000014
2021500776.tif 000015
2021500776.tif 000016
2021500776.tif 000017